(57)【要約】【課題】様々な種類のデータ（支給物）を元にして、光造形品、紙積層造形品、試作金型、検査治具等の広い範囲にわたる製品（成果物）の見積りを作成できること。【解決手段】自動見積り装置Ｍ１は、成果物Ｎ１の内容をメニューから選択して特定する依頼品情報入力手段Ｍ２と、支給物Ｎ２の内容をメニューから選択して特定する支給物内容入力手段Ｍ３と、特定された成果物Ｎ１と支給物Ｎ２とから製作工程を決定する製作工程決定手段Ｍ４と、製作依頼品内容の物理的特徴等のうち必要数の情報を入力または選択する基本条件入力手段Ｍ５と、前記必要数の情報を基本スケールに変換してさらに数値化する基本スケール変換数値化手段Ｍ６とを具備し、基本スケール変換数値化手段Ｍ６によって得られた数値から見積りＮ３を作成する。【選択図】　　　　図１
2004013846.tif 000002
【特許請求の範囲】
【請求項１】
見積り対象となる成果物の製作依頼品情報の内容を、メニューに掲載されたなかから、最も前記製作依頼品に近似するメニュー掲載成果物を選択する依頼品情報入力手段と、
前記製作依頼による支給物として提供するデータ・モデルの内容をメニューに掲載されたなかから選択する支給物内容入力手段と、
前記依頼品情報入力手段と前記支給物内容入力手段によってそれぞれ特定された前記成果物と前記支給物とから製作工程を決定する製作工程決定手段と、
前記製作依頼品内容の物理的特徴、複数のモデル化した特徴形状からの選択及び／または過去の事例からの選択、製作個数、仕上げ条件、材料のうち必要数の情報を入力または選択する基本条件入力手段と、
前記基本条件入力手段で入力または選択された前記必要数の情報を、前記選択された支給物から種々の成果物を得るための様々な工程の工数を共通の尺度で計算できるようにする基本スケールに変換して、該基本スケールを数値化する基本スケール変換数値化手段とを具備し、
前記基本スケール変換数値化手段によって得た数値から見積りを作成することを特徴とする自動見積り装置。
【請求項２】
見積り対象となる成果物の製作依頼品情報の内容を、メニューに掲載されたなかから、最も前記製作依頼品に近似するメニュー掲載成果物を選択する依頼品情報入力手段と、
前記製作依頼による支給物として提供するデータ・モデルの内容をメニューに掲載されたなかから選択する支給物内容入力手段と、
前記依頼品情報入力手段と前記支給物内容入力手段によってそれぞれ特定された前記成果物と前記支給物とから製作工程を決定する製作工程決定手段と、
前記製作依頼品内容の物理的特徴、複数のモデル化した特徴形状からの選択及び／または過去の事例からの選択、製作個数、仕上げ条件、材料のうち必要数の情報を入力または選択する基本条件入力手段と、
前記基本条件入力手段で入力または選択された前記必要数の情報を、前記選択された支給物から種々の成果物を得るための様々な工程の工数を共通の尺度で計算できるようにする基本スケールに変換して、該基本スケールを数値化する基本スケール変換数値化手段とを具備し、
前記製作工程決定手段で決定された製作工程及び前記基本スケール数値化手段によって得た数値から工数及び納期を計算することを特徴とする自動見積り装置。
【請求項３】
見積り対象となる成果物の製作依頼品情報の内容を、メニューに掲載されたなかから、最も前記製作依頼品に近似するメニュー掲載成果物を選択する依頼品情報入力手段と、
前記製作依頼による支給物として提供するデータ・モデルの内容をメニューに掲載されたなかから選択する支給物内容入力手段と、
前記依頼品情報入力手段と前記支給物内容入力手段によってそれぞれ特定された前記成果物と前記支給物とから製作工程を決定する製作工程決定手段と、
前記製作依頼品内容の物理的特徴、複数のモデル化した特徴形状からの選択及び／または過去の事例からの選択、製作個数、仕上げ条件、材料のうち必要数の情報を入力または選択する基本条件入力手段と、
前記基本条件入力手段で入力または選択された前記必要数の情報を、前記選択された支給物から種々の成果物を得るための様々な工程の工数を共通の尺度で計算できるようにする基本スケールに変換して、該基本スケールを数値化する基本スケール変換数値化手段とを具備し、
前記製作工程決定手段で決定された製作工程で用いられる計算式を選択し、前記基本スケール数値化手段によって得た数値から各工程ごとに工数及び納期を計算し、該計算された工数及び納期から見積りを作成することを特徴とする自動見積り装置。
【請求項４】
見積り対象となる成果物の製作依頼品情報の内容を、メニューに掲載されたなかから、最も前記製作依頼品に近似するメニュー掲載成果物を選択する依頼品情報入力手段と、
前記製作依頼による支給物として提供するデータ・モデルの内容をメニューに掲載されたなかから選択する支給物内容入力手段と、
前記依頼品情報入力手段と前記支給物内容入力手段によってそれぞれ特定された前記成果物と前記支給物とから製作工程を決定する製作工程決定手段と、
前記製作依頼品内容の物理的特徴、解説文付きの複数のモデル化した特徴形状からの選択及び／または過去の事例からの選択、製作個数、仕上げ条件、材料のうち必要数の情報を入力または選択する基本条件入力手段と、
前記基本条件入力手段で入力または選択された前記必要数の情報を、前記選択された支給物から種々の成果物を得るための様々な工程の工数を共通の尺度で計算できるようにする基本スケールに変換して、該基本スケールを数値化する基本スケール変換数値化手段と、
前記製作工程決定手段で決定された製作工程で用いられる計算式を選択してロードする計算式選択ロード手段と、
前記基本スケール変換数値化手段によって得た数値から前記計算式選択ロード手段によってロードされた前記計算式を用いて各工程ごとに工数及び納期を計算する工数納期計算手段と、
全製作工程について計算された工数及び納期から見積りを作成する見積り作成手段と
を具備することを特徴とする自動見積り装置。
【請求項５】
前記基本条件入力手段において入力される前記製作依頼品内容の物理的特徴は、前記製作依頼品内容の寸法データ（Ｘ，Ｙ，Ｚ及び厚みｔ）であることを特徴とする請求項１乃至請求項４のいずれか１つに記載の自動見積り装置。
【請求項６】
顧客ＩＤとパスワードを入力するＩＤ・パスワード入力手段を付加して、インターネットを介して前記各手段を用いて顧客とやり取りをすることによって見積りを作成することを特徴とする請求項１乃至請求項５のいずれか１つに記載の自動見積り装置。
【請求項７】
前記見積りを顧客ごとにデータベースに登録する見積り登録手段と、
前記見積り登録手段に登録された見積りの中から発注しようとする見積りを検索する見積り検索手段と、
見積り品名と見積り内容（見積りの詳細情報）を入力する見積り品名内容入力手段と、
前記見積り品名及び前記見積り内容を前記見積りに追加して発注用見積りを作成する発注用見積り作成手段と
を追加したことを特徴とする請求項１乃至請求項６のうちいずれか１つに記載の自動見積り装置。
【発明の詳細な説明】
【０００１】
【発明の属する技術分野】
本発明は、複数の製作依頼品（成果物）候補の中から１つを選択し、その製作依頼に際して支給できるデータ等（支給物）候補の中から１つを選択することによって直ちに見積りを作成することができる自動見積り装置に関するものである。
【０００２】
【従来の技術】
製品のコストを自動的に見積るシステムを構築して、製品開発に役立てる技術が開発されている。かかるシステムの例としては、特開２００１−１０１２８４号公報に記載の「製品製造の見積り方法及びその装置並びに記憶媒体」の発明等がある。この公報に記載の技術においては、３次元ＣＡＤから見積りに必要なパラメータを取得する見積り要素抽出手段と、このパラメータに基づいて加工工程を設定する工程設定手段と、この加工工程ごとの加工工数を見積る工数見積り手段と、この加工工数に加工レートを乗算し材料費を加えてコストを算出するコスト見積り手段と、見積られた加工工数及び算出されたコストに基づいて律速要因を評価分析するコスト分析手段と、加工工程を変化させてコストシミュレーションを実行し、コストへの感度を分析し、最適製法、最適工程設計を支援するコストシミュレーション手段とを有するものである。これによって、製品開発の上流段階で設計者が自らシミュレーションを行って、コストや工数を試算することができる。
【０００３】
【発明が解決しようとする課題】
しかしながら、かかるシステムを実際の客先相手の見積りに使用しようとすると、算出に使用できるデータは３次元ＣＡＤのデータに限られ、デザインスケッチ、図面、モックアップモデル、クレイモデル等を元にしては見積りを算出することができない。また、コストを見積る製品も狭い範囲の製品に限られ、光造形品、紙積層造形品、試作金型、検査治具等の広い範囲にわたる製品の見積りを要求する客先のニーズに応えることができない。
【０００４】
そこで、本発明は、３次元ＣＡＤのデータのみならず、デザインスケッチ、図面、モックアップモデル、クレイモデル等を元にして、光造形品、紙積層造形品、試作金型、検査治具等の広い範囲にわたる製品の見積りを作成することができる自動見積り装置を提供することを課題とするものである。
【０００５】
【課題を解決するための手段】
請求項１の発明にかかる自動見積り装置を図１の模式図を参照して説明する。この自動見積り装置Ｍ１は、見積り対象となる成果物Ｎ１の製作依頼品情報の内容を、メニューに掲載されたなかから、最も前記製作依頼品に近似するメニュー掲載成果物Ｎ１を選択する依頼品情報入力手段Ｍ２と、前記製作依頼による支給物Ｎ２として提供するデータ・モデルの内容をメニューに掲載されたなかから選択する支給物内容入力手段Ｍ３と、前記依頼品情報入力手段Ｍ２と前記支給物内容入力手段Ｍ３によってそれぞれ特定された前記成果物Ｎ１と前記支給物Ｎ２とから製作工程を決定する製作工程決定手段Ｍ４と、前記製作依頼品内容の物理的特徴、解説文付きの複数のモデル化した特徴形状からの選択及び／または過去の事例からの選択、製作個数、仕上げ条件、材料のうち必要数の情報を入力または選択する基本条件入力手段Ｍ５と、前記基本条件入力手段Ｍ５で入力または選択された前記必要数の情報を、前記選択された支給物Ｎ２から種々の成果物Ｎ１を得るための様々な工程の工数を共通の尺度で計算できるようにする基本スケールに変換して、該基本スケールを数値化する基本スケール変換数値化手段Ｍ６とを具備し、前記基本スケール変換数値化手段Ｍ６によって得た数値から見積りＮ３を作成するものである。
【０００６】
かかる構成を有する自動見積り装置Ｍ１においては、成果物Ｎ１の内容と支給物Ｎ２の内容がそれぞれのメニューから選択されて特定されると、その組み合わせに応じた製作工程が製作工程決定手段Ｍ４によって決定される。一方、基本条件入力手段Ｍ５によって製作依頼品内容の物理的特徴（例えば大きさ）、解説文付きの複数のモデル化した特徴形状からの選択及び／または過去の事例からの選択、製作個数、仕上げ条件、材料のうち必要数の情報が入力または選択される。入力または選択された必要数の情報は、基本スケール変換数値化手段Ｍ６によって基本スケールに変換され、さらに数値化される。
【０００７】
ここで、「基本スケール」とは、種々の支給物から種々の成果物を得るための様々な工程の工数を共通の尺度で計算できるようにするためのスケールであり、発明者の長年の実務経験に基づいて種々の支給物と種々の成果物の組み合わせの各工程について割り出されたものである。
【０００８】
そして、この数値から見積りＮ３が作成される。このように、工程ごとに経験則に基づいて設定された基本スケールによって、種々の支給物と成果物の組み合わせについて見積りを作成できるようになった。
【０００９】
このようにして、３次元ＣＡＤのデータのみならず、デザインスケッチ、図面、モックアップモデル、クレイモデル等を元にして、光造形品、紙積層造形品、試作金型、検査治具等の広い範囲にわたる製品の見積りを作成することができる自動見積り装置となる。
【００１０】
請求項２の発明にかかる自動見積り装置は、見積り対象となる成果物の製作依頼品情報の内容を、メニューに掲載されたなかから、最も前記製作依頼品に近似するメニュー掲載成果物を選択する依頼品情報入力手段と、前記製作依頼による支給物として提供するデータ・モデルの内容をメニューに掲載されたなかから選択する支給物内容入力手段と、前記依頼品情報入力手段と前記支給物内容入力手段によってそれぞれ特定された前記成果物と前記支給物とから製作工程を決定する製作工程決定手段と、前記製作依頼品内容の物理的特徴、解説文付きの複数のモデル化した特徴形状からの選択及び／または過去の事例からの選択、製作個数、仕上げ条件、材料のうち必要数の情報を入力または選択する基本条件入力手段と、前記基本条件入力手段で入力または選択された前記必要数の情報を、前記選択された支給物から種々の成果物を得るための様々な工程の工数を共通の尺度で計算できるようにする基本スケールに変換して、該基本スケールを数値化する基本スケール変換数値化手段とを具備し、前記製作工程決定手段で決定された製作工程及び前記基本スケール変換数値化手段によって得た数値から工数及び納期を計算するものである。
【００１１】
かかる構成を有する自動見積り装置においては、成果物の内容と支給物の内容がそれぞれのメニューから選択されて特定されると、その組み合わせに応じた製作工程が製作工程決定手段によって決定される。一方、基本条件入力手段によって製作依頼品内容の物理的特徴（例えば大きさ）、解説文付きの複数のモデル化した特徴形状からの選択及び／または過去の事例からの選択、製作個数、仕上げ条件、材料のうち必要数の情報が入力または選択される。これらの入力または選択された必要数の情報は基本スケール変換数値化手段によって基本スケールに変換されてさらに数値化される。そして、製作工程決定手段で決定された製作工程及び基本スケール変換数値化手段によって得られた数値から工数及び納期が計算される。
【００１２】
このようにして、３次元ＣＡＤのデータのみならず、デザインスケッチ、図面、モックアップモデル、クレイモデル等の支給物を元にして、光造形品、紙積層造形品、試作金型、検査治具等の広い範囲にわたる成果物（製品）の見積りの基礎となる工数及び納期を計算することができる自動見積り装置となる。
【００１３】
請求項３の発明にかかる自動見積り装置は、見積り対象となる成果物の製作依頼品情報の内容を、メニューに掲載されたなかから、最も前記製作依頼品に近似するメニュー掲載成果物を選択する依頼品情報入力手段と、前記製作依頼による支給物として提供するデータ・モデルの内容をメニューに掲載されたなかから選択する支給物内容入力手段と、前記依頼品情報入力手段と前記支給物内容入力手段によってそれぞれ特定された前記成果物と前記支給物とから製作工程を決定する製作工程決定手段と、前記製作依頼品内容の物理的特徴、解説文付きの複数のモデル化した特徴形状からの選択及び／または過去の事例からの選択、製作個数、仕上げ条件、材料のうち必要数の情報を入力または選択する基本条件入力手段と、前記基本条件入力手段で入力または選択された前記必要数の情報を、前記選択された支給物から種々の成果物を得るための様々な工程の工数を共通の尺度で計算できるようにする基本スケールに変換して、該基本スケールを数値化する基本スケール変換数値化手段とを具備し、前記製作工程決定手段で決定された製作工程で用いられる計算式を選択し、前記基本スケール数値化手段によって得た数値から各工程ごとに工数及び納期を計算し、該計算された工数及び納期から見積りを作成するものである。
【００１４】
かかる構成を有する自動見積り装置においては、成果物の内容と支給物の内容がそれぞれのメニューから選択されて特定されると、その組み合わせに応じた製作工程が製作工程決定手段によって決定される。一方、基本条件入力手段によって製作依頼品内容の物理的特徴（例えば大きさ）、解説文付きの複数のモデル化した特徴形状からの選択及び／または過去の事例からの選択、製作個数、仕上げ条件、材料のうち必要数の情報が入力または選択される。これらの入力または選択された必要数の情報は基本スケール変換数値化手段によって基本スケールに変換されてさらに数値化される。また、製作工程決定手段で決定された製作工程で用いられる計算式が選択される。そして、基本スケール変換数値化手段によって得た数値から各工程ごとに工数及び納期が計算され、計算された工数及び納期から見積りが作成される。
【００１５】
このように、各工程ごとに用いられる計算式を選択して基本スケール数値化手段によって得た数値から工数及び納期が計算されるので、より正確な工数及び納期の計算結果が得られる。この工数及び納期から見積りが作成されるので、より実際に近い見積りを作成することができる。
【００１６】
このようにして、より正確な見積りを作成することができる自動見積り装置となる。
【００１７】
請求項４の発明にかかる自動見積り装置は、見積り対象となる成果物の製作依頼品情報の内容を、メニューに掲載されたなかから、最も前記製作依頼品に近似するメニュー掲載成果物を選択する依頼品情報入力手段と、前記製作依頼による支給物として提供するデータ・モデルの内容をメニューに掲載されたなかから選択する支給物内容入力手段と、前記依頼品情報入力手段と前記支給物内容入力手段によってそれぞれ特定された前記成果物と前記支給物とから製作工程を決定する製作工程決定手段と、前記製作依頼品内容の物理的特徴、解説文付きの複数のモデル化した特徴形状からの選択及び／または過去の事例からの選択、製作個数、仕上げ条件、材料のうち必要数の情報を入力または選択する基本条件入力手段と、前記基本条件入力手段で入力または選択された前記必要数の情報を、前記選択された支給物から種々の成果物を得るための様々な工程の工数を共通の尺度で計算できるようにする基本スケールに変換して、該基本スケールを数値化する基本スケール変換数値化手段と、前記製作工程決定手段で決定された製作工程で用いられる計算式を選択してロードする計算式選択ロード手段と、前記基本スケール変換数値化手段によって得た数値から前記計算式選択ロード手段によってロードされた前記計算式を用いて各工程ごとに工数及び納期を計算する工数納期計算手段と、全製作工程について計算された工数及び納期から見積りを作成する見積り作成手段とを具備するものである。
【００１８】
かかる構成を有する自動見積り装置においては、成果物の内容と支給物の内容がそれぞれのメニューから選択されて特定されると、その組み合わせに応じた製作工程が製作工程決定手段によって決定され、それらの製作工程で用いられる計算式が計算式選択ロード手段によって選択されてロードされる。一方、基本条件入力手段によって製作依頼品内容の物理的特徴（例えば大きさ）、解説文付きの複数のモデル化した特徴形状からの選択及び／または過去の事例からの選択、製作個数、仕上げ条件、材料のうち必要数の情報が入力または選択される。
【００１９】
これらの入力または選択された必要数の情報は基本スケール変換数値化手段によって基本スケールに変換されてさらに数値化される。この数値が上記でロードされた計算式を用いて工数納期計算手段によって、各工程ごとに工数及び納期が計算される。そして、全製作工程について計算された工数及び納期から見積り作成手段によって見積りが作成される。このように、工程ごとに経験則に基づいて設定された基本スケールによって、種々の支給物と成果物の組み合わせについて見積りを作成できるようになった。
【００２０】
請求項５の発明にかかる自動見積り装置は、請求項１乃至請求項４のいずれか１つの構成において、前記基本条件入力手段において入力される前記製作依頼品内容の物理的特徴は、前記製作依頼品内容の寸法データ（Ｘ，Ｙ，Ｚ及び厚みｔ）であるものである。
【００２１】
これによって、製作依頼品内容の物理的特徴として製作依頼品の大きさと厚みを表す寸法データが必要数の情報の一部として入力され、基本スケール変換数値化手段によって基本スケールに変換されさらに数値化されて、ロードされた計算式を用いて工数納期計算手段によって、各工程ごとに工数及び納期が計算される。
【００２２】
このようにして、製作依頼品内容の物理的特徴として製作依頼品の大きさと厚みを表す寸法データが入力されることによって、工数及び納期の計算が実施され、見積りが作成される。
【００２３】
請求項６の発明にかかる自動見積り装置は、請求項１乃至請求項５のいずれか１つの構成において、顧客ＩＤとパスワードを入力するＩＤ・パスワード入力手段を付加して、インターネットを介して前記各手段を用いて顧客とやり取りをすることによって見積りを作成するものである。
【００２４】
ここで、ＩＤ・パスワード入力手段による入力は見積り作成操作の最初の段階で行っても良いし、最後の方に入力するようにしても良い。特定の顧客の情報を表示または検索する場合のみ、顧客ＩＤとパスワードの入力を要求するようになっている。即ち、インターネットで自動見積り装置のサイトにアクセスすれば、顧客ＩＤとパスワードを入力しなくても、自動見積り装置の各手段が順次作動するので、顧客は顧客のパソコンの画面に表示される指示にしたがってデータを入力していけば自動的に見積りが作成される。
【００２５】
このようにして、インターネットで自動見積り装置のサイトにアクセスするだけで、容易に自動見積り作成を実施することができる自動見積り装置となる。
【００２６】
請求項７の発明にかかる自動見積り装置は、請求項１乃至請求項６のいずれか１つの構成において、前記見積りを顧客ごとにデータベースに登録する見積り登録手段と、前記見積り登録手段に登録された見積りの中から発注しようとする見積りを検索する見積り検索手段と、見積り品名と見積り内容（見積りの詳細情報）を入力する見積り品名内容入力手段と、前記見積り品名及び前記見積り内容を前記見積りに追加して発注用見積りを作成する発注用見積り作成手段とを追加したものである。
【００２７】
これによって、作成された見積りは見積り登録手段によって顧客ごとにデータベースに登録されるので、顧客は以前登録した見積りの中から発注しようとする見積りを見積り検索手段によって検索して、見積り品名内容入力手段によって見積り品名及び見積り内容を入力する。そして、発注用見積り作成手段によってこれらの見積り品名及び見積り内容を追加した発注用見積りが作成される。この発注用見積りをＥメール等で自動見積り装置を有する成果物製造元（メーカー）へ送信することによって、本格的な価格交渉が始まることになる。
【００２８】
このように、最初の見積りを１度登録してさらに見積り品名及び見積り内容を入力して発注用見積りのフォームを変えることによって、発注する見積りを間違えることがなくなる。また、過去の見積りを見積り検索手段で順次検索することによって、過去の見積りを閲覧することができる。
【００２９】
【発明の実施の形態】
以下、本発明の実施の形態を、図面を参照しつつ説明する。図２は本発明の実施の形態にかかる自動見積り装置のメインルーチンを示すフローチャートである。図３は本発明の実施の形態にかかる自動見積り装置の「既存見積り一覧」のサブルーチンを示すフローチャートである。図４は本発明の実施の形態にかかる自動見積り装置の「見積り表示」のサブルーチンを示すフローチャートである。図５は本発明の実施の形態にかかる自動見積り装置の「新規見積り」のサブルーチンを示すフローチャートである。図６は本発明の実施の形態にかかる自動見積り装置の「見積り計算」のサブルーチンを示すフローチャートである。図７は本発明の実施の形態にかかる自動見積り装置の「見積り登録」のサブルーチンを示すフローチャートである。図８は本発明の実施の形態にかかる自動見積り装置の「新規顧客登録」のサブルーチンを示すフローチャートである。図９乃至図２７は本発明の実施の形態にかかる自動見積り装置において実際の操作の際に顧客のパソコンのディスプレイに表れる画面の模式図である。
【００３０】
まず、本実施の形態の自動見積り装置における自動処理の流れについて、図２を参照して説明する。ここでは、インターネットを利用して顧客のパソコンから自動見積り装置を形成するコンピュータへアクセスして処理を進める場合について説明する。
【００３１】
ステップＳ１でインターネット内の本実施の形態の自動見積り装置のサイトにアクセスすると、顧客ＩＤとパスワードの入力を要求する画面が表れる（ステップＳ２）。ここで、入力した場合にはステップＳ３の判定がＹＥＳとなって、ステップＳ４でデータベースに顧客ＩＤとパスワードが組になって記憶され、ステップＳ５へ進む。この顧客ＩＤとパスワードの入力を行わせるハードウェア及びソフトウェアがＩＤ・パスワード入力手段に相当する。
【００３２】
入力しない場合にはステップＳ３の判定がＮＯとなって、直接ステップＳ５へ進んで次処理として何をするかが判定される。既存見積り一覧のボタンを画面上でクリックした場合には、ステップＳ８へ進んで既存見積り一覧のサブルーチンへ入り、新規見積りのボタンを画面上でクリックした場合には、ステップＳ６へ進んで新規見積りのサブルーチンへ入る。終了のボタンを画面上でクリックした場合には、ステップＳ９で自動見積りの処理を終了する。
【００３３】
次に、既存見積り一覧のサブルーチンについて、図３を参照して説明する。ステップＳ８で既存見積り一覧のサブルーチンに入ると、まず顧客ＩＤをデータベースに記憶しているか否かが判定される（ステップＳ１０）。この判定がＮＯならば画面上で顧客に顧客ＩＤを入力してもらい（ステップＳ１１）、その顧客ＩＤから顧客を検索して特定する（ステップＳ１２）。ステップＳ１０の判定がＹＥＳであれば直接ステップＳ１２へ進んで、データベースに記憶されている顧客ＩＤから顧客を検索して特定する。
【００３４】
そして、特定された顧客についてこれまでに登録済の見積りがあるかどうかがデータベースにおいて検索され（ステップＳ１３）、登録済の見積りの一覧が顧客のパソコンのディスプレイに表示される（ステップＳ１４）。一覧の中に見積りの内容を閲覧したいと思うものがある場合には、その見積もりの「閲覧」のボタンをクリックすれば、ステップＳ１５の判定がＹＥＳとなり、見積り表示のサブルーチンに入ってその見積りの内容が顧客のパソコンのディスプレイに表示される（ステップＳ１６）。この一連の処理を行わせるハードウェア及びソフトウェアが見積り検索手段に相当する。ステップＳ１５の判定がＮＯの場合には見積り表示のサブルーチンに入らずに、次の処理をどうするかが判定される（ステップＳ１７）。
【００３５】
「閲覧続行」のボタンがクリックされれば、ステップＳ１４に戻って再び登録済の見積りの一覧が顧客のパソコンのディスプレイに表示される。「閲覧終了」のボタンがクリックされれば、ステップＳ１８で既存見積り一覧のサブルーチンから抜けて、図２のステップＳ５へ戻る。
【００３６】
次に、見積り表示のサブルーチンについて、図４を参照して説明する。ステップＳ１６で見積り表示のサブルーチンに入ると見積りの内容が顧客のパソコンのディスプレイに表示され、次の処理の入力が求められる（ステップＳ１９）。ここで表示されるのは、図２３，図２４に示される仮見積りではなく、その仮見積りが図５のステップＳ４５で見積り登録された概算見積りである（図２５の画面５１，図２６の画面５２）。仮見積りと概算見積りを比較してみると、見積り番号も仮見積り番号から正式の見積り番号になっており、御社名、御部署名、御担当者名も匿名でなく正式の名前が表示され、見積り有効期限も書き込まれている。さらに、表の品名と内容も具体的に書き込まれている。
【００３７】
そして、ステップＳ２０で次の処理が判定されて、画面５２の「閲覧終了（ＴＯＰ　ＰＡＧＥ）」のボタン５６がクリックされていればステップＳ２５で見積り表示のサブルーチンから抜けて、図３のステップＳ１７へ移行する。また、「削除」のボタン５５がクリックされていれば表示されていた見積りのデータがステップＳ２４でデータベースから削除され、ステップＳ２５で見積り表示のサブルーチンから抜けて、図３のステップＳ１７へ移行する。
【００３８】
また、「発注／正式見積り依頼」のボタン５４がクリックされていれば表示されていた見積りのデータが正式見積り番号とともに再び表示され、その下にコメント記入欄が表示される（ステップＳ２１）。この表示を行うハードウェア及びソフトウェアが、発注用見積り作成手段に相当する。顧客は、コメント・連絡事項を入力して、次の処理を入力する。コメント・連絡事項の例としては「見積り依頼します。デザインスケッチは宅配便でお送りすれば宜しいですか？ＦＡＸでも宜しいでしょうか？」等である。
【００３９】
次の処理が「送信」であった場合はステップＳ２２の判定がＹＥＳとなるので、本実施の形態の自動見積り装置を所有しているメーカーにメールを送信して（ステップＳ２３）、正式な見積りを依頼して価格交渉に入ることになる。その後、ステップＳ２５で見積り表示のサブルーチンから抜けて、図３のステップＳ１７へ移行する。さらに、「既存見積り一覧」のボタン５３がクリックされた場合は、図３のステップＳ８のサブルーチンへ移行する。
【００４０】
次に、図１のステップＳ６の新規見積りのサブルーチンについて、図５を参照して説明する。ステップＳ６の新規見積りのサブルーチンに入ると、まず見積りＮｏ．が付与される（ステップＳ７）。ここで付与されるのは仮のＮｏ．で、新規見積りがされるごとにＮ＝Ｎ＋１で自動的に１ずつ増えていく。次に物検索がされて、製品製造のデータとして使用可能な支給物と製品として製造可能な成果物がデータベースから検索されて（ステップＳ２６）、顧客のパソコンのディスプレイにそれぞれプルダウンメニューとして一覧表示される（ステップＳ２７）。
【００４１】
以下、支給物としてデザインスケッチを、成果物として光造形品を選択した場合を例として表示される画面の模式図を参照しながら説明していく。図９の画面１は支給物のプルダウンメニュー２を表示したものである。支給物としてＩＧＥＳデータ、ＳＴＥＰデータ、２Ｄ図面データ、Ｐｒｏ／Ｅデータ等のＣＡＤデータだけでなく、紙に書いた図面、さらにはモックアップモデルやクレイモデルをも使用することができ、顧客の選択の幅が大きくなって非常に使い勝手が良くなっている。
【００４２】
このプルダウンメニュー２の表示と支給物の選択を行わせるハードウェアとソフトウェアが、図１の支給物内容入力手段Ｍ３に相当する。ここで顧客は上述したようにデザインスケッチ３を選択しており、「次へ」のボタン４をクリックすることによって成果物の選択画面へ移行する。なお、作業を中止したい場合やもう一度やり直したい場合には、各画面に設けられている「ＴＯＰ　ＰＡＧＥ」のボタン５をクリックすれば良い。
【００４３】
図１０に示される画面６は見積り対象となる成果物のプルダウンメニュー７を表示したものである。成果物としてもＩＧＥＳデータ、Ｐｒｏ／Ｅデータ等のＣＡＤデータ、光造形品、紙積層造形品、さらには試作金型や検査治具まで製作依頼することができ、選択の幅が大きくなって非常に使い勝手が良くなっている。
【００４４】
このプルダウンメニュー７の表示と成果物の選択を行わせるハードウェアとソフトウェアが、図１の依頼品情報入力手段Ｍ２に相当する。ここで顧客は上述の如く光造形品８を選択しており、「次へ」のボタン９をクリックすることによって、図５のステップＳ２８の処理を終了して、選択された支給物と成果物との組み合わせから、データベースより組み合わせの「品種」が検索される（ステップＳ２９）。
【００４５】
検索された品種から、支給物を成果物とするための一連の工程が検索される（ステップＳ３０）。この品種検索と工程設計検索の操作を行うハードウェアとソフトウェアが、図１の製作工程決定手段Ｍ４に相当する。
【００４６】
ここで、品種検索と工程設計検索の２段のステップに分けているのは単にプログラムが冗長になるのを防ぐためであり、選択された支給物と成果物との組み合わせから、直接データベースより支給物を成果物とするための一連の工程を検索するようにしても良い。検索された一連の工程は順序にしたがって一覧表示される（ステップＳ３１）。この例では、図１１の画面１０のようになるが、「番号１」の工程「基本難易度設定」は成果物の概要（Ｘ，Ｙ，Ｚ方向の寸法及び厚みｔ等）を知るためのもので、どのような支給物と成果物の組み合わせの場合にも設定される。
【００４７】
続いて、各工程の工数と納期を算出するための基本スケールの入力が行なわれる。基本スケールの入力は画面１０の各工程に付いている「設定」のボタンＢ１〜Ｂ６をクリックすることによって、当該工程の基本スケールの入力画面が表示される。ボタンＢ１をクリックすると、図１２の画面１１のような画面が表れて、まず基本難易度についての基本スケールから入力していくことになる。始めに成果物のＸ方向の概略寸法をｍｍ単位で、入力ボックス１２に入力する。Ｘ方向とは３次元方向の中で寸法が最も大きい方向であり、以下Ｙ方向、Ｚ方向と寸法が小さくなっていく。したがって、Ｙ方向の概略寸法を入力ボックス１３に入力し、画面１１をスクロールして図１３の画面１４として、Ｚ方向の概略寸法を入力ボックス１５に入力する。この例では、Ｘ，Ｙ，Ｚ方向とも１００ｍｍとなっているが、成果物の形状によって様々な概略寸法が入力される。
【００４８】
次に、成果物の基本肉厚ｔを入力ボックス１６に入力する。これで、成果物の概略寸法についての入力は終わったので、続いて成果物の形状の複雑さを示す基本スケールを入力する。画面１４をさらにスクロールして図１４の画面１５を表示させ、形状の例として挙げられている物品とその解説文を参照しながらさらにスクロールしていって、最も近い形状をクリックして選択する。この例では、図１５の画面１８まで合わせて１０種類の形状が表示されるが（７種類については図示省略している。）、図１４の最も単純な形状１６が選択されている。これによって、成果物の形状の複雑さを示す基本スケールが入力されたことになる。
【００４９】
これで基本難易度設定の基本スケールの入力は全て終了したので、再度確認の後、図１５の「確定」のボタン２０をクリックすると、図１１の加工工程一覧の画面１０に戻って、基本難易度設定の工程の未定／済みの欄が「済」になっている。このようにして、全ての工程の未定／済みの欄が「済」になった時点で、基本スケールの入力が完了して見積り計算ができる状態になる。そこで、次の工程の基本スケールの入力を行うが、本実施の形態においては上から順に設定ボタンＢ１〜Ｂ６をクリックして工程順に行うこととするが、これに限られず工程順でなく基本スケールの入力を行っても良く、とにかく全ての工程の未定／済みの欄を「済」とすれば良い。
【００５０】
次に、設定ボタンＢ２をクリックすると、図１６の画像処理の基本スケールの入力画面２１が表示される。本実施の形態における支給物はデザインスケッチであるので例２２，２３，２４のいずれも該当せず、さらに画面２１をスクロールした画面に表示される。そこで表示されたデザインスケッチの例をクリックして図示しない「確定」ボタンをクリックすると、図１１の加工工程一覧の画面１０に戻って、２番目の画像処理の工程の未定／済みの欄が「済」になっている。
【００５１】
次に、設定ボタンＢ３をクリックすると、図１７の３Ｄモデリングの基本スケールの入力画面２５が表示される。まず、外観面については例２７を選択し、続いて画面２５をスクロールして図１８の画面２８、図１９の画面３１を表示して製品の裏面の構造の複雑さについて例２９，３０，３２，３３，３４の中から選択する。ここでは、図１８の画面２８から例３０をクリックして選択し、図１９の画面３１の「確定」ボタン３５をクリックすると、図１１の加工工程一覧の画面１０に戻って、３番目の３Ｄモデリングの工程の未定／済みの欄が「済」になっている。
【００５２】
次に、設定ボタンＢ４をクリックすると、図２０の光造形用データ処理の基本スケールの入力画面３７が表示される。ここでは、成果物の光造形における特殊性について、図２０の画面３７の例３８，３９，４０，４１、図２１の画面４２の例４３，４４の中から選択する。ここでは、図２０の画面３７の例３９をクリックして選択し、図２１の画面４２の「確定」ボタン４５をクリックすると、図１１の加工工程一覧の画面１０に戻って、４番目の光造形用データ処理の工程の未定／済みの欄が「済」になっている。
【００５３】
次に、設定ボタンＢ５をクリックすると、光造形の基本スケールの入力画面が表示される。ここでは、成果物の数を入力するだけなので画面の図示は省略している。そして、画面中の「確定」ボタンをクリックすると、図１１の加工工程一覧の画面１０に戻って、５番目の光造形の工程の未定／済みの欄が「済」になっている。
【００５４】
次に、設定ボタンＢ６をクリックすると、図２２の光造形品仕上げの基本スケールの入力画面４６が表示される。ここでは、光造形品の仕上げの程度について例４７，４８，…の中から選択する。この例では、例４７をクリックして選択し、図示しない「確定」ボタンをクリックすると、図１１の加工工程一覧の画面１０に戻って、６番目の光造形品仕上げの工程の未定／済みの欄が「済」になっている。
【００５５】
以上で、画面１０の全工程の未定／済みの欄が「済」になったので、基本スケールの入力が完了したことになる。この状態になって初めて画面１０の下部に「次へ」のボタンが表示されるので、このボタンをクリックして次の処理に移行する。なお、各画面において数値の入力または例の選択によって基本スケールが入力されると、長年の経験に基づいた変換式によって入力された基本スケールは直ちに数値化される。これらの入力／選択処理を行わせるハードウェア及びソフトウェアが図１の基本条件入力手段Ｍ５に相当し、入力された基本スケールを数値化するハードウェア及びソフトウェアが図１の基本スケール数値化手段Ｍ６に相当する。
【００５６】
図５に戻って、ステップＳ３２で基本条件入力完了したか否かが判定されるが、これが画面１０の全工程の未定／済みの欄が「済」になって「次へ」のボタンがクリックされたか否かに対応する。この判定がＮＯのうちはステップＳ３３へ進んで工程選択を行うが、これが画面１０の設定ボタンＢ１〜Ｂ６のいずれかをクリックすることに対応する。工程が選択されるとデータベースからその工程の基本条件入力画面と数値への変換式が検索されて（ステップＳ３４）、基本スケール設定画面が顧客のパソコンのディスプレイに表示され（ステップＳ３５）、数値入力または表示された複数の例からの選択によって基本スケール設定（入力）操作が行なわれる（ステップＳ３６）。この基本スケール設定画面の一例が、上述した図１２〜図２２の各画面である。
【００５７】
ここでもし数値入力ボックスに文字を入力する等の妥当でない操作を行うと、ステップＳ３７の判定がＮＯとなって入力不適切表示がされ（ステップＳ３８）、再入力を要求してステップＳ３１の画面１０へ戻る。ステップＳ３７の判定がＹＥＳであればそのままステップＳ３１の画面１０へ戻り、当該工程の未定／済みの欄が「済」となる。このようにして、全ての工程について基本スケール設定（入力）操作が完了して「次へ」のボタンがクリックされると、ステップＳ３２の判定がＹＥＳとなってステップＳ３９へ進み、顧客ＩＤがデータベースに記憶されているか否かが判定される。
【００５８】
この判定がＹＥＳであれば、顧客ＩＤから顧客情報（御社名、御部署名、御担当者名等）を検索して後述する仮見積りを表示する際にともに表示する。そして、ステップＳ４１で見積り計算のサブルーチンに入る。ステップＳ３９の判定がＮＯであれば、そのまま見積り計算のサブルーチンに入り、後述する手順で計算した仮見積りが顧客のパソコンのディスプレイに表示される（ステップＳ４２）。
【００５９】
表示される仮見積りの例を、図２３の画面４９と図２４の画面５０に示す。この例では顧客ＩＤが記憶されていなかったため、顧客情報（御社名、御部署名、御担当者名）は全て匿名になっている。見積り金額は２２７，０００円で、納期（必要稼動日数）は７日となっている。また、仮見積り第９７１号の番号９７１は図５のステップＳ７のＮに相当する。この仮見積りをデータベースに登録するなら「登録をする」のいずれかのボタンをクリックし、破棄するなら「ＴＯＰ　ＰＡＧＥ」のボタンをクリックする。
【００６０】
これらの操作は、図５のステップＳ４３の次の処理をどうするかの判定に対応している。破棄を選択した場合にはステップＳ４４で仮見積りを破棄して、ステップＳ４６で図２のステップＳ５に戻り、登録を選択した場合にはステップＳ４５で見積り登録のサブルーチンに入って登録をしてからステップＳ４６で図２のステップＳ５に戻る。この見積りを登録する処理を行わせるハードウェアとソフトウェアが、見積り登録手段に相当する。
【００６１】
次に、図５のステップＳ４１の見積り計算のサブルーチンの内容について、図６を参照して説明する。ステップＳ４１で見積り計算のサブルーチンに入ると、まず支給物から成果物に至るまでの工程の検索を行う。即ち、先に説明した図１１の画面１０のデータはデスクトップに保存されていないので、再度データベースを検索して全工程を構築しなおす必要がある（ステップＳ４７）。次に、工数と納期を計算する工程を設定して（ステップＳ４８）、その工程の計算式をデータベースから選択してロードする（ステップＳ４９，５０）。この処理を行うハードウェア及びソフトウェアが、図１の計算式選択ロード手段Ｍ７に相当する。
【００６２】
実際の計算式の例を説明すると、本実施の形態では使用されないが、紙積層造形における造形用紙の使用量の計算式は次式（１）で与えられる。
【００６３】
紙積層造形用紙使用量（ｍ）＝（（（基本難易度設定［Ｘ］＋２５）×（（基本難易度設定［Ｚ］＋２０）÷０．１１）／１０００＋ロス分３ｍ）×紙積層造形前処理［Ｌ］）を超える最小の整数　　　……　（１）
【００６４】
また、同じく本実施の形態では使用されないが、射出成形金型製作工程における計算式の例として、入力された「ゲート」項目の基本スケールより成形体の大きさを求める式として、「ダイレクトゲートまたはそれに準じて中央にゲートあり」の基本スケールの場合には、成形体の大きさｘ，ｙは次式（２）で与えられる。また、工作の手間を計算に盛り込むための係数ｒｔは次式（３）で与えられる。なお、ＢＸ，ＢＹ，ＢＺは前の計算で求められた数値である。
【００６５】
ｘ＝ＢＸとＢＹのうち長い方，ｙ＝ＢＸとＢＹのうち短い方　……　（２）
ｒｔ＝３．０　……　（３）
【００６６】
そして、成形体の大きさに基づいてモールドベースの大きさｍｘ，ｍｙ，ｍｚを次式（４），（５），（６）で推測し、体積Ｖを次式（７）によって算出し、係数ｒｔを用いて経験則によって得られた換算式により基本工数を算出する。
【００６７】
ｍｘ＝（ｘ×１．２）×０．１　　　　　……　（４）
ｍｙ＝（ｙ×１．２＋１００）×０．１　……　（５）
ｍｚ＝（ＢＺ×２）×０．１　　　　　　……　（６）
Ｖ＝ｍｘ×ｍｙ×ｍｚ　　　　　……　（７）
【００６８】
図６に戻って、ステップＳ５０で計算式をロードした後、ステップＳ３６で入力された基本スケールのうちロードした計算式に用いられる基本スケールをデータベースから検索する（ステップＳ５１）。そして、上式（１）〜（７）でその一部の一例を示したように、その基本スケールを数値化したものがロードした計算式に用いられて工数・納期の計算が実行される（ステップＳ５２）。この計算を実行するハードウェア及びソフトウェアが、図１の工数納期計算手段Ｍ８に相当する。
【００６９】
次に、この工程で材料を使用しているか否かが判定され（ステップＳ５３）、この判定がＹＥＳの場合には、材料が何かを選択し（ステップＳ５４）、その材料に用いられる計算式を選択して（ステップＳ５５）ロードする（ステップＳ５６）。そして、ステップＳ３６で入力された基本スケールのうちロードした計算式に用いられる基本スケールをデータベースから検索して（ステップＳ５７）、使われる材料の量が計算される（ステップＳ５８）。例えば、上述した紙積層造形における造形用紙の使用量の計算式（１）の如くにである。
【００７０】
そして、ステップＳ４７で検索した全工程について計算が完了したか否かが判定される（ステップＳ５９）。この判定がＹＥＳになるまでステップＳ４８からの処理が繰り返される。また、ステップＳ５３の判定がＮＯの場合には材料についての計算をせずにステップＳ５９の判定が行なわれる。ステップＳ５９の判定がＹＥＳになったらステップＳ６０へ進み、図５のステップＳ４１のサブルーチンを抜けて仮見積りを表示する（ステップＳ４２）。ここで、仮見積りを作成して表示するハードウェア及びソフトウェアが、図１の見積り作成手段Ｍ９に相当する。
【００７１】
次に、ステップＳ４５の見積り登録のサブルーチンの内容を図７を参照して説明する。ステップＳ４５で見積り登録のサブルーチンに入ると、まずステップＳ４２で仮見積りを表示した顧客のＩＤがデータベースに記憶されているか否かが判定される（ステップＳ６１）。この判定がＮＯであればステップＳ６２で新規顧客登録のサブルーチンに入る。そして、ステップＳ６３で顧客情報（御社名、御部署名、御担当者名等）の検索を行う。ステップＳ６１における判定がＹＥＳであれば直接ステップＳ６３へ進んで顧客情報の検索を行い、続いて見積りの品名・内容の入力を行う（ステップＳ６４）。この入力を行わせるハードウェア及びソフトウェアが、見積り品名内容入力手段に相当する。
【００７２】
本実施の形態の成果物は光造形品であるから、品名としては「ＡＸ−０１試作部品」、内容としては「形状確認用・デザイン検討用モデル」が入力される。（図２５，図２６に示されるように、画面５１，５２が表示されるときに表の「品名」、「内容」の欄にそれぞれこれらの入力された事項が表示される。また、御社名、御部署名、御担当者名も匿名でなく、具体的な名前が表示される。）
【００７３】
そして、ステップＳ６５で登録するか否かの判定を行い、ＹＥＳであればステップＳ６６で見積り登録処理を行って、図４のステップＳ１６の見積り表示のサブルーチンへ飛び、ステップＳ６５の判定がＮＯであれば何もせずにステップＳ６８から見積り登録のサブルーチンを抜けてさらに図５のステップＳ４６から新規見積りのサブルーチンを抜けて、図２のステップＳ５へ戻る。
【００７４】
次に、ステップＳ６２の新規顧客登録のサブルーチンの内容について、図８及び図２７を参照して説明する。ステップＳ６２で新規顧客登録のサブルーチンに入ると、顧客登録画面が表示される（ステップＳ６９）。具体的には、図２７の画面５７のような画面である。そこで、画面の指示にしたがって社名、部署名、担当者名、郵便番号、住所、電話番号、ＦＡＸ番号、Ｅメールアドレスの顧客情報を入力し（ステップＳ７０）、この入力が妥当であるならば（ステップＳ７１の判定がＹＥＳ）、ステップＳ７３で顧客ＩＤとパスワードを発行してステップＳ７４でこの顧客ＩＤとパスワードを上記の顧客情報と組にして顧客登録を行う。そして、ステップＳ７５で顧客ＩＤと確認の意味で顧客情報を添付して顧客登録が完了した旨のメールを上記のＥメールアドレスに送信して、ステップＳ７６でサブルーチンを抜けて図７のステップＳ６３へ移行する。
【００７５】
顧客情報の入力が妥当でなければ（ステップＳ７１の判定がＮＯ）、ステップＳ７２で入力不適切表示をして、ステップＳ６９へ戻ってやり直しとなる。
【００７６】
このように、本実施の形態の自動見積り装置においては、インターネットを介して自動見積り装置のサイトにアクセスすれば、後は画面の指示にしたがって入力、選択、クリックを行っていくだけで、新規の見積りを作成したり、過去に登録した見積りを閲覧したり、発注したりすることができる。しかも、長年の製品製作の経験則から割り出した基本スケールという物差しを各工程ごとに入力させて、この基本スケールを経験則に基づいて数値化し、この数値を一般式及び経験式に当てはめて工数、納期、そして見積りを算出しているので、広い範囲の支給物と成果物の組み合わせに対応することができる。
【００７７】
本実施の形態においては、支給物としてデザインスケッチを、成果物として光造形品を選択した場合について説明したが、支給物としては他にもＩＧＥＳデータ、ＳＴＥＰデータ、２Ｄ図面データ、Ｐｒｏ／Ｅデータ等のＣＡＤデータや、紙に書いた図面、さらにはモックアップモデルやクレイモデルをも使用することができ、成果物としてもＩＧＥＳデータ、Ｐｒｏ／Ｅデータ等のＣＡＤデータ、紙積層造形品、さらには試作金型や検査治具まで製作依頼することができる。
【００７８】
また、図１は請求項１の内容の理解を助けるために描いた模式的なクレーム対応図であり、各手段の構造や配置は必ずしもこれに限定されるものではない。
【００７９】
自動見積り装置のフローチャートや表示画面についても、本実施の形態に限定されるものではない。
【００８０】
【発明の効果】
以上説明したように、請求項１の発明にかかる自動見積り装置Ｍ１は、見積り対象となる成果物Ｎ１の製作依頼品情報の内容を、メニューに掲載されたなかから、最も前記製作依頼品に近似するメニュー掲載成果物Ｎ１を選択する依頼品情報入力手段Ｍ２と、前記製作依頼による支給物Ｎ２として提供するデータ・モデルの内容をメニューに掲載されたなかから選択する支給物内容入力手段Ｍ３と、前記依頼品情報入力手段Ｍ２と前記支給物内容入力手段Ｍ３によってそれぞれ特定された前記成果物Ｎ１と前記支給物Ｎ２とから製作工程を決定する製作工程決定手段Ｍ４と、前記製作依頼品内容の物理的特徴、解説文付きの複数のモデル化した特徴形状からの選択及び／または過去の事例からの選択、製作個数、仕上げ条件、材料のうち必要数の情報を入力または選択する基本条件入力手段Ｍ５と、前記基本条件入力手段Ｍ５で入力または選択された前記必要数の情報を、前記選択された支給物Ｎ２から種々の成果物Ｎ１を得るための様々な工程の工数を共通の尺度で計算できるようにする基本スケールに変換して、該基本スケールを数値化する基本スケール変換数値化手段Ｍ６とを具備し、前記基本スケール変換数値化手段Ｍ６によって得た数値から見積りＮ３を作成するものである。
【００８１】
かかる構成を有する自動見積り装置Ｍ１においては、成果物Ｎ１の内容と支給物Ｎ２の内容がそれぞれのメニューから選択されて特定されると、その組み合わせに応じた製作工程が製作工程決定手段Ｍ４によって決定される。一方、基本条件入力手段Ｍ５によって製作依頼品内容の物理的特徴（例えば大きさ）、解説文付きの複数のモデル化した特徴形状からの選択及び／または過去の事例からの選択、製作個数、仕上げ条件、材料のうち必要数の情報が入力または選択される。入力または選択された必要数の情報は、基本スケール変換数値化手段Ｍ６によって基本スケールに変換され、さらに数値化される。
【００８２】
ここで、「基本スケール」とは、種々の支給物から種々の成果物を得るための様々な工程の工数を共通の尺度で計算できるようにするためのスケールであり、発明者の長年の実務経験に基づいて種々の支給物と種々の成果物の組み合わせの各工程について割り出されたものである。
【００８３】
そして、この数値から見積りＮ３が作成される。このように、工程ごとに経験則に基づいて設定された基本スケールによって、種々の支給物と成果物の組み合わせについて見積りを作成できるようになった。
【００８４】
このようにして、３次元ＣＡＤのデータのみならず、デザインスケッチ、図面、モックアップモデル、クレイモデル等を元にして、光造形品、紙積層造形品、試作金型、検査治具等の広い範囲にわたる製品の見積りを作成することができる自動見積り装置となる。
【００８５】
請求項２の発明にかかる自動見積り装置は、見積り対象となる成果物の製作依頼品情報の内容を、メニューに掲載されたなかから、最も前記製作依頼品に近似するメニュー掲載成果物を選択する依頼品情報入力手段と、前記製作依頼による支給物として提供するデータ・モデルの内容をメニューに掲載されたなかから選択する支給物内容入力手段と、前記依頼品情報入力手段と前記支給物内容入力手段によってそれぞれ特定された前記成果物と前記支給物とから製作工程を決定する製作工程決定手段と、前記製作依頼品内容の物理的特徴、解説文付きの複数のモデル化した特徴形状からの選択及び／または過去の事例からの選択、製作個数、仕上げ条件、材料のうち必要数の情報を入力または選択する基本条件入力手段と、前記基本条件入力手段で入力または選択された前記必要数の情報を、前記選択された支給物から種々の成果物を得るための様々な工程の工数を共通の尺度で計算できるようにする基本スケールに変換して、該基本スケールを数値化する基本スケール変換数値化手段とを具備し、前記製作工程決定手段で決定された製作工程及び前記基本スケール変換数値化手段によって得た数値から工数及び納期を計算するものである。
【００８６】
かかる構成を有する自動見積り装置においては、成果物の内容と支給物の内容がそれぞれのメニューから選択されて特定されると、その組み合わせに応じた製作工程が製作工程決定手段によって決定される。一方、基本条件入力手段によって製作依頼品内容の物理的特徴（例えば大きさ）、解説文付きの複数のモデル化した特徴形状からの選択及び／または過去の事例からの選択、製作個数、仕上げ条件、材料のうち必要数の情報が入力または選択される。これらの入力または選択された必要数の情報は基本スケール変換数値化手段によって基本スケールに変換されてさらに数値化される。そして、製作工程決定手段で決定された製作工程及び基本スケール変換数値化手段によって得られた数値から工数及び納期が計算される。
【００８７】
このようにして、３次元ＣＡＤのデータのみならず、デザインスケッチ、図面、モックアップモデル、クレイモデル等の支給物を元にして、光造形品、紙積層造形品、試作金型、検査治具等の広い範囲にわたる成果物（製品）の見積りの基礎となる工数及び納期を計算することができる自動見積り装置となる。
【００８８】
請求項３の発明にかかる自動見積り装置は、見積り対象となる成果物の製作依頼品情報の内容を、メニューに掲載されたなかから、最も前記製作依頼品に近似するメニュー掲載成果物を選択する依頼品情報入力手段と、前記製作依頼による支給物として提供するデータ・モデルの内容をメニューに掲載されたなかから選択する支給物内容入力手段と、前記依頼品情報入力手段と前記支給物内容入力手段によってそれぞれ特定された前記成果物と前記支給物とから製作工程を決定する製作工程決定手段と、前記製作依頼品内容の物理的特徴、解説文付きの複数のモデル化した特徴形状からの選択及び／または過去の事例からの選択、製作個数、仕上げ条件、材料のうち必要数の情報を入力または選択する基本条件入力手段と、前記基本条件入力手段で入力または選択された前記必要数の情報を、前記選択された支給物から種々の成果物を得るための様々な工程の工数を共通の尺度で計算できるようにする基本スケールに変換して、該基本スケールを数値化する基本スケール変換数値化手段とを具備し、前記製作工程決定手段で決定された製作工程で用いられる計算式を選択し、前記基本スケール数値化手段によって得た数値から各工程ごとに工数及び納期を計算し、該計算された工数及び納期から見積りを作成するものである。
【００８９】
かかる構成を有する自動見積り装置においては、成果物の内容と支給物の内容がそれぞれのメニューから選択されて特定されると、その組み合わせに応じた製作工程が製作工程決定手段によって決定される。一方、基本条件入力手段によって製作依頼品内容の物理的特徴（例えば大きさ）、解説文付きの複数のモデル化した特徴形状からの選択及び／または過去の事例からの選択、製作個数、仕上げ条件、材料のうち必要数の情報が入力または選択される。これらの入力または選択された必要数の情報は基本スケール変換数値化手段によって基本スケールに変換されてさらに数値化される。また、製作工程決定手段で決定された製作工程で用いられる計算式が選択される。そして、基本スケール変換数値化手段によって得た数値から各工程ごとに工数及び納期が計算され、計算された工数及び納期から見積りが作成される。
【００９０】
このように、各工程ごとに用いられる計算式を選択して基本スケール数値化手段によって得た数値から工数及び納期が計算されるので、より正確な工数及び納期の計算結果が得られる。この工数及び納期から見積りが作成されるので、より実際に近い見積りを作成することができる。
【００９１】
このようにして、より正確な見積りを作成することができる自動見積り装置となる。
【００９２】
請求項４の発明にかかる自動見積り装置は、見積り対象となる成果物の製作依頼品情報の内容を、メニューに掲載されたなかから、最も前記製作依頼品に近似するメニュー掲載成果物を選択する依頼品情報入力手段と、前記製作依頼による支給物として提供するデータ・モデルの内容をメニューに掲載されたなかから選択する支給物内容入力手段と、前記依頼品情報入力手段と前記支給物内容入力手段によってそれぞれ特定された前記成果物と前記支給物とから製作工程を決定する製作工程決定手段と、前記製作依頼品内容の物理的特徴、解説文付きの複数のモデル化した特徴形状からの選択及び／または過去の事例からの選択、製作個数、仕上げ条件、材料のうち必要数の情報を入力または選択する基本条件入力手段と、前記基本条件入力手段で入力または選択された前記必要数の情報を、前記選択された支給物から種々の成果物を得るための様々な工程の工数を共通の尺度で計算できるようにする基本スケールに変換して、該基本スケールを数値化する基本スケール変換数値化手段と、前記製作工程決定手段で決定された製作工程で用いられる計算式を選択してロードする計算式選択ロード手段と、前記基本スケール変換数値化手段によって得た数値から前記計算式選択ロード手段によってロードされた前記計算式を用いて各工程ごとに工数及び納期を計算する工数納期計算手段と、全製作工程について計算された工数及び納期から見積りを作成する見積り作成手段とを具備するものである。
【００９３】
かかる構成を有する自動見積り装置においては、成果物の内容と支給物の内容がそれぞれのメニューから選択されて特定されると、その組み合わせに応じた製作工程が製作工程決定手段によって決定され、それらの製作工程で用いられる計算式が計算式選択ロード手段によって選択されてロードされる。一方、基本条件入力手段によって製作依頼品内容の物理的特徴（例えば大きさ）、解説文付きの複数のモデル化した特徴形状からの選択及び／または過去の事例からの選択、製作個数、仕上げ条件、材料のうち必要数の情報が入力または選択される。
【００９４】
これらの入力または選択された必要数の情報は基本スケール変換数値化手段によって基本スケールに変換されてさらに数値化される。この数値が上記でロードされた計算式を用いて工数納期計算手段によって、各工程ごとに工数及び納期が計算される。そして、全製作工程について計算された工数及び納期から見積り作成手段によって見積りが作成される。このように、工程ごとに経験則に基づいて設定された基本スケールによって、種々の支給物と成果物の組み合わせについて見積りを作成できるようになった。
【００９５】
請求項５の発明にかかる自動見積り装置は、請求項１乃至請求項４のいずれか１つの構成において、前記基本条件入力手段において入力される前記製作依頼品内容の物理的特徴は、前記製作依頼品内容の寸法データ（Ｘ，Ｙ，Ｚ及び厚みｔ）であるものである。
【００９６】
これによって、製作依頼品内容の物理的特徴として製作依頼品の大きさと厚みを表す寸法データが必要数の情報の一部として入力され、基本スケール変換数値化手段によって基本スケールに変換されさらに数値化されて、ロードされた計算式を用いて工数納期計算手段によって、各工程ごとに工数及び納期が計算される。
【００９７】
このようにして、製作依頼品内容の物理的特徴として製作依頼品の大きさと厚みを表す寸法データが入力されることによって、工数及び納期の計算が実施され、見積りが作成される。
【００９８】
請求項６の発明にかかる自動見積り装置は、請求項１乃至請求項５のいずれか１つの構成において、顧客ＩＤとパスワードを入力するＩＤ・パスワード入力手段を付加して、インターネットを介して前記各手段を用いて顧客とやり取りをすることによって見積りを作成するものである。
【００９９】
ここで、ＩＤ・パスワード入力手段による入力は見積り作成操作の最初の段階で行っても良いし、最後の方に入力するようにしても良い。特定の顧客の情報を表示または検索する場合のみ、顧客ＩＤとパスワードの入力を要求するようになっている。即ち、インターネットで自動見積り装置のサイトにアクセスすれば、顧客ＩＤとパスワードを入力しなくても、自動見積り装置の各手段が順次作動するので、顧客は顧客のパソコンの画面に表示される指示にしたがってデータを入力していけば自動的に見積りが作成される。
【０１００】
このようにして、インターネットで自動見積り装置のサイトにアクセスするだけで、容易に自動見積り作成を実施することができる自動見積り装置となる。
【０１０１】
請求項７の発明にかかる自動見積り装置は、請求項１乃至請求項６のいずれか１つの構成において、前記見積りを顧客ごとにデータベースに登録する見積り登録手段と、前記見積り登録手段に登録された見積りの中から発注しようとする見積りを検索する見積り検索手段と、見積り品名と見積り内容（見積りの詳細情報）を入力する見積り品名内容入力手段と、前記見積り品名及び前記見積り内容を前記見積りに追加して発注用見積りを作成する発注用見積り作成手段とを追加したものである。
【０１０２】
これによって、作成された見積りは見積り登録手段によって顧客ごとにデータベースに登録されるので、顧客は以前登録した見積りの中から発注しようとする見積りを見積り検索手段によって検索して、見積り品名内容入力手段によって見積り品名及び見積り内容を入力する。そして、発注用見積り作成手段によってこれらの見積り品名及び見積り内容を追加した発注用見積りが作成される。この発注用見積りをＥメール等で自動見積り装置を有する成果物製造元（メーカー）へ送信することによって、本格的な価格交渉が始まることになる。
【０１０３】
このように、最初の見積りを１度登録してさらに見積り品名及び見積り内容を入力して発注用見積りのフォームを変えることによって、発注する見積りを間違えることがなくなる。また、過去の見積りを見積り検索手段で順次検索することによって、過去の見積りを閲覧することができる。
【図面の簡単な説明】
【図１】図１は本発明の自動見積り装置の基本構成を示す模式図である。
【図２】図２は本発明の実施の形態にかかる自動見積り装置のメインルーチンを示すフローチャートである。
【図３】図３は本発明の実施の形態にかかる自動見積り装置の「既存見積り一覧」のサブルーチンを示すフローチャートである。
【図４】図４は本発明の実施の形態にかかる自動見積り装置の「見積り表示」のサブルーチンを示すフローチャートである。
【図５】図５は本発明の実施の形態にかかる自動見積り装置の「新規見積り」のサブルーチンを示すフローチャートである。
【図６】図６は本発明の実施の形態にかかる自動見積り装置の「見積り計算」のサブルーチンを示すフローチャートである。
【図７】図７は本発明の実施の形態にかかる自動見積り装置の「見積り登録」のサブルーチンを示すフローチャートである。
【図８】図８は本発明の実施の形態にかかる自動見積り装置の「新規顧客登録」のサブルーチンを示すフローチャートである。
【図９】図９は本発明の実施の形態にかかる自動見積り装置において実際の操作の際に顧客のパソコンのディスプレイに表れる画面の模式図である。
【図１０】図１０は本発明の実施の形態にかかる自動見積り装置において実際の操作の際に顧客のパソコンのディスプレイに表れる画面の模式図である。
【図１１】図１１は本発明の実施の形態にかかる自動見積り装置において実際の操作の際に顧客のパソコンのディスプレイに表れる画面の模式図である。
【図１２】図１２は本発明の実施の形態にかかる自動見積り装置において実際の操作の際に顧客のパソコンのディスプレイに表れる画面の模式図である。
【図１３】図１３は本発明の実施の形態にかかる自動見積り装置において実際の操作の際に顧客のパソコンのディスプレイに表れる画面の模式図である。
【図１４】図１４は本発明の実施の形態にかかる自動見積り装置において実際の操作の際に顧客のパソコンのディスプレイに表れる画面の模式図である。
【図１５】図１５は本発明の実施の形態にかかる自動見積り装置において実際の操作の際に顧客のパソコンのディスプレイに表れる画面の模式図である。
【図１６】図１６は本発明の実施の形態にかかる自動見積り装置において実際の操作の際に顧客のパソコンのディスプレイに表れる画面の模式図である。
【図１７】図１７は本発明の実施の形態にかかる自動見積り装置において実際の操作の際に顧客のパソコンのディスプレイに表れる画面の模式図である。
【図１８】図１８は本発明の実施の形態にかかる自動見積り装置において実際の操作の際に顧客のパソコンのディスプレイに表れる画面の模式図である。
【図１９】図１９は本発明の実施の形態にかかる自動見積り装置において実際の操作の際に顧客のパソコンのディスプレイに表れる画面の模式図である。
【図２０】図２０は本発明の実施の形態にかかる自動見積り装置において実際の操作の際に顧客のパソコンのディスプレイに表れる画面の模式図である。
【図２１】図２１は本発明の実施の形態にかかる自動見積り装置において実際の操作の際に顧客のパソコンのディスプレイに表れる画面の模式図である。
【図２２】図２２は本発明の実施の形態にかかる自動見積り装置において実際の操作の際に顧客のパソコンのディスプレイに表れる画面の模式図である。
【図２３】図２３は本発明の実施の形態にかかる自動見積り装置において実際の操作の際に顧客のパソコンのディスプレイに表れる画面の模式図である。
【図２４】図２４は本発明の実施の形態にかかる自動見積り装置において実際の操作の際に顧客のパソコンのディスプレイに表れる画面の模式図である。
【図２５】図２５は本発明の実施の形態にかかる自動見積り装置において実際の操作の際に顧客のパソコンのディスプレイに表れる画面の模式図である。
【図２６】図２６は本発明の実施の形態にかかる自動見積り装置において実際の操作の際に顧客のパソコンのディスプレイに表れる画面の模式図である。
【図２７】図２７は本発明の実施の形態にかかる自動見積り装置において実際の操作の際に顧客のパソコンのディスプレイに表れる画面の模式図である。
【符号の説明】
Ｍ１　自動見積り装置
Ｍ２　依頼品情報入力手段
Ｍ３　支給物内容入力手段
Ｍ４　製作工程決定手段
Ｍ５　基本条件入力手段
Ｍ６　基本スケール変換数値化手段
Ｎ１　成果物
Ｎ２　支給物
Ｎ３　見積り
【図１】
2004013846.tif 000003
【図２】
2004013846.tif 000004
【図３】
2004013846.tif 000005
【図４】
2004013846.tif 000006
【図５】
2004013846.tif 000007
【図６】
2004013846.tif 000008
【図７】
2004013846.tif 000009
【図８】
2004013846.tif 000010
【図９】
2004013846.tif 000011
【図１０】
2004013846.tif 000012
【図１１】
2004013846.tif 000013
【図１２】
2004013846.tif 000014
【図１３】
2004013846.tif 000015
【図１４】
2004013846.tif 000016
【図１５】
2004013846.tif 000017
【図１６】
2004013846.tif 000018
【図１７】
2004013846.tif 000019
【図１８】
2004013846.tif 000020
【図１９】
2004013846.tif 000021
【図２０】
2004013846.tif 000022
【図２１】
2004013846.tif 000023
【図２２】
2004013846.tif 000024
【図２３】
2004013846.tif 000025
【図２４】
2004013846.tif 000026
【図２５】
2004013846.tif 000027
【図２６】
2004013846.tif 000028
【図２７】
2004013846.tif 000029